(57)【要約】      （修正有）【課題】容器本体と、装飾を施された装飾部を有する装飾部材とを備え、前記装飾部材が前記装飾部を露出させた状態で前記容器本体に対して磁力により着脱可能となるように構成された容器において、前記容器本体に対する前記装飾部材の意図せぬ位置ずれを抑制することができる容器を提供する。【解決手段】容器１において、容器本体１０が、装飾部材２０を取り付けるための取付面と、突起部１２とを有している。そして、前記突起部が前記装飾部材が前記取付面に取り付けられた場合に前記容器本体に対する前記装飾部材の位置ずれを抑制すべく前記装飾部材の周囲に位置し且つ前記取付面側から前記装飾部材の外周縁部２２よりも前記取付面と反対側に突出するように設けられている。【選択図】図１
0003182545.tif 000002
【実用新案登録請求の範囲】
【請求項１】
容器本体と、装飾を施された装飾部を有する装飾部材とを備え、前記装飾部材が前記装飾部を露出させた状態で前記容器本体に対して磁力により着脱可能となるように構成された容器において、
前記容器本体は、前記装飾部材を取り付けるための取付面と、前記装飾部材が前記取付面に取り付けられた場合に前記容器本体に対する前記装飾部材の位置ずれを抑制すべく前記装飾部材の周囲に位置し且つ前記取付面側から前記装飾部材の外周縁部よりも前記取付面と反対側に突出するように設けられた突起部とを有していることを特徴とする容器。
【請求項２】
前記突起部に、その突出端部から前記取付面に向かって傾斜する傾斜面が形成されていることを特徴とする請求項１に記載の容器。
【請求項３】
前記装飾部材は、前記外周縁部よりも内側に突出部を備えた、可撓性を有する平板状に形成されて、前記装飾部材が略平坦な前記取付面に取り付けられた場合に前記外周縁部が前記取付面に当接し且つ前記突出部が前記容器本体との間に隙間を形成するように構成されていることを特徴とする請求項１又は請求項２に記載の容器。
【考案の詳細な説明】
【技術分野】
【０００１】
本考案は、菓子、食品、雑貨等を含む被収容物を収容することができる容器に関する。
【背景技術】
【０００２】
従来、容器本体と、装飾を施された装飾部を有する装飾部材とを備え、前記装飾部材が前記装飾部を露出させた状態で前記容器本体に対して磁力により着脱可能となるように構成された容器は知られている（例えば、特許文献１参照）。
【先行技術文献】
【特許文献】
【０００３】
【特許文献１】実用新案登録第３１１５５０４号公報
【考案の概要】
【考案が解決しようとする課題】
【０００４】
しかしながら、この種の容器においては、単に、前記容器本体に設けられた略平坦な取付面に前記装飾部材が磁力により取り付けられていただけのため、その取付状態を維持する必要がある場合でも、前記装飾部材に所定の取付位置からずらそうとする外力が加わってしまうと、前記容器本体に対して前記装飾部材が簡単に位置ずれするという問題があった。
【０００５】
本考案は、このような問題を解決するためになされたものであり、容器本体と、装飾を施された装飾部を有する装飾部材とを備え、前記装飾部材が前記装飾部を露出させた状態で前記容器本体に対して磁力により着脱可能となるように構成された容器において、前記容器本体に対する前記装飾部材の意図せぬ位置ずれを抑制することができる容器を提供することを目的とする。
【課題を解決するための手段】
【０００６】
請求項１に係る考案は、容器本体と、装飾を施された装飾部を有する装飾部材とを備え、前記装飾部材が前記装飾部を露出させた状態で前記容器本体に対して磁力により着脱可能となるように構成された容器において、前記容器本体は、前記装飾部材を取り付けるための取付面と、前記装飾部材が前記取付面に取り付けられた場合に前記容器本体に対する前記装飾部材の位置ずれを抑制すべく前記装飾部材の周囲に位置し且つ前記取付面側から前記装飾部材の外周縁部よりも前記取付面と反対側に突出するように設けられた突起部とを有していることを特徴とする容器である。
【０００７】
この考案によれば、前記容器本体の取付面に磁力により取り付けられた状態の前記装飾部材に所定の取付位置からずらそうとする外力が加わった場合でも、前記装飾部材の周縁部が前記突起部に当たり、前記装飾部材が前記容器本体に対して位置ずれしにくくなる。したがって、前記容器本体に対する前記装飾部材の意図せぬ位置ずれを抑制することができる。
【０００８】
請求項２に係る考案は、請求項１に記載の容器において、前記突起部に、その突出端部から前記取付面に向かって傾斜する傾斜面が形成されていることを特徴とするものである。
【０００９】
この考案によれば、前記装飾部材が前記容器本体の取付面に取り付けられている場合に、手指の爪等を用いて前記装飾部材の磁力による吸着を外すとき、前記手指の爪等を前記傾斜面により前記突起部と前記装飾部材の外周縁部との境界部分に案内しやすくなる。しかも、前記手指の爪等を用いて前記装飾部材を意図的にずらそうとする際には、前記傾斜面の一部を前記装飾部材の案内面とすることもできる。したがって、前記装飾部材を前記容器本体の取付面から容易に取り外すことができる。
【００１０】
請求項３に係る考案は、請求項１又は請求項２に記載の容器において、前記装飾部材が、前記外周縁部よりも内側に突出部を備えた、可撓性を有する平板状に形成されて、前記装飾部材が略平坦な前記取付面に取り付けられた場合に前記外周縁部が前記取付面に当接し且つ前記突出部が前記容器本体との間に隙間を形成するように構成されていることを特徴とするものである。
【００１１】
この考案によれば、前記装飾部材が前記取付面に取り付けられている場合に、前記装飾部材の突出部を手指等で前記隙間側に押すことによって、前記外周縁部の少なくとも一部を前記取付面から離間するように跳ね上げさせ、前記外周縁部の少なくとも一部を掴みやすいものとすることができる。したがって、前記装飾部材を前記容器本体の取付面から容易に取り外すことができる。
【考案の効果】
【００１２】
本考案によれば、容器本体と、装飾を施された装飾部を有する装飾部材とを備え、前記装飾部材が前記装飾部を露出させた状態で前記容器本体に対して磁力により着脱可能となるように構成された容器において、前記容器本体に対する前記装飾部材の意図せぬ位置ずれを抑制することができる容器を提供することができる。
【図面の簡単な説明】
【００１３】
【図１】本考案の一実施形態に係る容器の平面図。
【図２】本考案の一実施形態に係る容器の一部断面側面図。
【図３】本考案の一実施形態に係る容器の一部拡大側面断面図。
【図４】本考案の一実施形態に係る容器における容器本体の平面図。
【図５】（ａ）本考案の一実施形態に係る容器における装飾部材の側面図。（ｂ）前記装飾部材の一部拡大側面断面図。
【図６】本考案の一実施形態における装飾部材の突出部が押された状態の容器の一部拡大側面断面図。
【考案を実施するための形態】
【００１４】
本考案の好ましい実施形態について図面を参照しつつ説明する。
【００１５】
図１に、本考案の一実施形態に係る容器１の平面図を示す。図２に、前記容器１の一部断面側面図を示す。図３に、前記容器１の一部拡大側面断面図を示す。
【００１６】
図１及び図２に示すように、前記容器１は、菓子、食品、雑貨等を含む被収容物を収容し得るものである。図３にも示すように、前記容器１は、容器本体１０と、装飾を施された装飾部２１を有する装飾部材２０とを備えている。前記装飾部材２０は、前記装飾部２１を露出させた状態で前記容器本体１０に対して磁力により着脱可能に設けられている。
【００１７】
前記容器本体１０は、前記装飾部材２０を取り付けるための取付面１１と、突起部１２とを有している。前記突起部１２は、前記装飾部材２０が前記取付面１１に取り付けられた場合に前記容器本体１０に対する前記装飾部材２０の位置ずれを抑制すべく前記装飾部材２０の周囲に位置し且つ前記取付面側から前記装飾部材２０の外周縁部２２よりも前記取付面１１と反対側に突出するように設けられている。
【００１８】
このような構成により、前記容器本体１０の取付面１１に磁力により取り付けられた状態の前記装飾部材２０に所定の取付位置からずらそうとする外力が加わった場合でも、前記装飾部材２０の外周縁部２２が前記突起部１２に当たり、前記装飾部材２０が前記容器本体１０に対して位置ずれしにくくなる。したがって、前記容器本体１０に対する前記装飾部材２０の意図せぬ位置ずれを抑制することができる。
【００１９】
その結果、前記容器１が人の手に取られた場合、又は、前記容器１が包装されて持ち運ばれる場合などに、前記装飾部材２０に外力が加わって、前記装飾部材２０が前記容器本体１０にあらかじめ設定された所定の取付位置から位置ずれし、これにより前記容器１の外観品質が低下したり、前記装飾部材２０が前記容器本体１０から外れてしまったりするというような問題の発生を極力防止できる。
【００２０】
次に、本考案の一実施形態に係る前記容器１について詳細に説明する。
【００２１】
図４に、前記容器本体１０の平面図を示す。前記容器本体１０は、前記被収容物を収容するための部分である。図２、図３及び図４に示すように、本実施形態において、前記容器本体１０は、上部に開口１４を有する本体収容部１３と、前記本体収容部１３の開口１４を開閉し得るように前記本端収容部１３に着脱可能に構成された蓋部１５とを備えている。
【００２２】
前記容器本体１０は、鉄合金等の磁性材料からなり、前記本体収容部１３の開口１４を前記蓋部１５により閉塞した状態で有底有蓋の丸筒状となるように構成されている。ここで、前記本体収容部１３は、被収容物の大きさ及び量等に応じて設定された所定深さを有する有底無蓋の丸筒状に形成されている。前記蓋部１５は、前記本体収容部１３の上部にその上方から嵌合し得るように有蓋無底の丸筒状に形成されている。
【００２３】
なお、本実施形態における前記容器本体１０は、前記本体収容部１３及び前記蓋部１５を備える有底有蓋の丸筒状に形成されたものであるが、本考案における容器本体は、被収容物を収容できるものであればよく、その形状は特に限定されるものではない。例えば、本考案における容器本体は、本体収容部及び蓋部を備える有底有蓋の多角形筒状に形成されたものであってもよいし、蓋部を備えず本体収容部のみから形成されるものであってもよい。
【００２４】
また、本実施形態における前記容器本体１０は、磁性材料から構成されたものであるが、本考案における容器本体は、装飾部材を磁力により取り付けられ得るものであればよく、その材料は特に限定されるものではない。例えば、本考案における容器本体は、被収容物を収容する樹脂製の部分と、この樹脂製の部分のいずれかの箇所に固着された磁性材料からなる部分（取付面）とを備えて構成されるものであってもよい。
【００２５】
前記蓋部１５において、その外部に露出する面に、前記装飾部材２０を磁力により取り付けるための前記取付面１１が設けられている。本実施形態において、前記取付面１１は、前記本体収容部１３の開口１４に対向し得る蓋面部１６の外側表面（露出面）に含まれている。なお、本考案における取付面の設置位置は、特に限定されるものではなく、容器本体の外側表面の任意位置とされ得るものである。
【００２６】
前記蓋面部１６の外側表面は、平面視略円形とされており、その中央部に当該蓋面部１６と同心上の平面視略円形の溝部１７が形成されている。すなわち、前記蓋面部１６の表面は、中央部が外周部よりも低くなる段差を有するように形成されている。前記蓋面部１６の外側表面のうち、中央部分よりも高い位置にある外周部分は、前記蓋面部１６の径方向に関して所定幅を有する略平坦な面に形成され、前記取付面１１とされている。
【００２７】
また、前記蓋部１５において、前記取付面１１の周囲に前記突起部１２が前記蓋面部１６側から突出するように設けられている。前記突起部１２の前記取付面１１からの突出高さは、特に限定されるものではないが、前記装飾部材２０の着脱性をも考慮すると、前記装飾部材２０が前記取付面１１に取り付けられた状態で前記装飾部材２０の外周縁部２２よりも前記取付面１１と反対側（即ち、図２における上方）に若干突出する程度が好ましい。
【００２８】
そして、本実施形態においては、前記突起部１２は、図４に示すように、前記取付面１１を完全に囲繞するように、即ち、前記取付面１１の周囲において前記装飾部材２０の周方向に連続的に位置し得るように、平面視環状に形成されている。
【００２９】
なお、本実施形態における前記突起部１２は平面視環状に形成されているが、本考案における突起部は前記容器本体に対する前記装飾部材の位置ずれを抑制し得るものであればよく、その形状は特に限定されるものではない。例えば、本考案における突起部は、取付面の周囲において装飾部材の周方向に間欠的に位置し得るものであってもよい。
【００３０】
図５（ａ）に、前記装飾部材２０の側面図を示す。図５（ｂ）に、前記装飾部材２０の一部拡大側面断面図を示す。図５（ａ）及び（ｂ）に示すように、前記装飾部材２０は、本実施形態においては、前記装飾部２１と、取付部２３とを有しており、前記装飾部２１と前記取付部２３とを接着剤等で貼り合わせることで所定の厚みを有する２層に構成されている。
【００３１】
前記装飾部材２０は、円盤状に形成されている。前記装飾部材２０の外径は、前記装飾部材２０が前記取付面１１に取り付けられた場合に当該装飾部材２０の外周縁部２２が前記突起部１２に当接する、又は、前記突起部１２との間に若干の隙間を有するように、前記取付面１１の外径と略同一又はこれよりも若干小さく設定されている。
【００３２】
前記装飾部２１は、例えば、ポリプロピレン等の樹脂材料を薄板状に成型加工した樹脂プレート、又は、鉄やステンレス等の金属材料を薄板状に加工した金属プレートとされ、所望の文字、図形、模様又は絵柄等の装飾（本実施形態においては、図１に示す恐竜柄の装飾）をもつように形成されている。
【００３３】
一方、前記取付部２３は、例えば、樹脂材料に係る磁性体粉末を混合し、薄板状に成型加工した所謂マグネットシートとされ、前記装飾部２１における装飾が施されていない部分（裏面）に貼着されている。前記取付部２３は、前記装飾部２１と異なる形状をとり得るが、本実施形態においては、前記装飾部２１と略同径の円盤形状とされている。
【００３４】
なお、本実施形態における前記装飾部材２０（前記装飾部２１及び前記取付部２３）は円盤状に形成されているが、本考案における装飾部材の形状は特に限定されるものではない。例えば、本考案における装飾部材は、多角形板状に形成されるものでもよいし、円盤状又は多角形板状で且つ凹部や凸部を有するものであってもよい。
【００３５】
このような構成により、前記装飾部材２０が前記取付部２３を用いて前記取付面１１に磁力により着脱可能とされている。そして、前記装飾部材２０が、前記取付面１１に取り付けられた場合には、前記装飾部２１が外部に露出した状態となりつつ、前記外周縁部２２が前記突起部１２に当接した状態、又は、若干の隙間をあけて配置された状態となるようになっている。
【００３６】
したがって、前記装飾部材２０に所定の取付位置からずらそうとする外力が加わった場合でも、前記装飾部材２０の外周縁部２２が前記突起部１２に当接しているため、又は、前記突起部１２に即座に当接するため、前記装飾部材２０が前記蓋部１５（前記容器本体１０）に対して全く又は殆ど位置ずれしなくなる。
【００３７】
なお、前記装飾部材２０は、前記容器本体１０の取付面１１から取り外した場合には、前記容器本体１０とは別の磁性材料からなる部分を有する部材に取り付けて、この部材の装飾品として利用することもできる。
【００３８】
また、図３に示すように、本実施形態においては、前記突起部１２に、その突出端部から前記取付面１１に向かって傾斜する傾斜面１９が形成されている。具体的には、前記傾斜面１９は、前記突起部１２において前記蓋部１５の径方向内側に配置され、径方向外側から径方向内側に向かうに従って下方に傾斜するように形成されている。
【００３９】
このような構成により、前記装飾部材２０が前記容器本体１０の取付面１１に取り付けられている場合に、手指の爪等を用いて前記装飾部材２０の磁力による吸着を外すとき、前記手指の爪等を前記傾斜面１９により前記突起部１２と前記装飾部材２０の外周縁部２２との境界部分に案内しやすくなる。しかも、前記手指の爪等を用いて前記装飾部材２０を意図的にずらそうとする際には、前記傾斜面１９の一部を前記装飾部材２０の案内面とすることもできる。したがって、前記装飾部材２０を前記蓋部１５（前記容器本体１０）の取付面１１から容易に取り外すことができる。
【００４０】
また、本実施形態においては、図３及び図４に示すように、前記装飾部材２０は、前記外周縁部２２よりも径方向内側に突出部２５を備えた、可撓性を有する平板状に形成されている。前記装飾部材２０は、略平坦な前記取付面１１に取り付けられた場合に前記外周縁部２２が前記取付面１１に当接し且つ前記突出部２５が前記容器本体１０（前記蓋面部１６）との間に隙間２６を形成するように構成されている。
【００４１】
前記装飾部材２０は、具体的には、前記装飾部２１を、略平坦状の前記外周縁部２２に対して突出する凸部が中央部側に形成されるようにエンボス加工を施された樹脂プレートとして、前記装飾部２１の一面にマグネットシートである前記取付部２３を当該装飾部２１の形状に沿って貼着することで、前記突出部２５（図１で言えば、前記恐竜柄の装飾を施された部分）を当該装飾部材２０中央部側に備えつつ可撓性を有するようなっている。
【００４２】
このような構成により、前記装飾部材２０が前記取付面１１に取り付けられている場合、図６に示すように、前記装飾部材２０の突出部２５を手指２８等で前記隙間２６側（前記容器本体１０の蓋面部１６側）に押すことによって、前記外周縁部２２の少なくとも一部を前記取付面１１から離間するように跳ね上げさせ、前記外周縁部２２の少なくとも一部を掴みやすいものとすることができる。したがって、前記装飾部材２０を前記蓋部１５（前記容器本体１０）の取付面１１から容易に取り外すことができる。
【符号の説明】
【００４３】
１    容器
１０  容器本体
１１  取付面
１２  突起部
１９  傾斜面
２０  装飾部材
２１  装飾部
２２  外周縁部
２５  突出部
２６  隙間
【図１】
0003182545.tif 000003
【図２】
0003182545.tif 000004
【図３】
0003182545.tif 000005
【図４】
0003182545.tif 000006
【図５】
0003182545.tif 000007
【図６】
0003182545.tif 000008